(57)【要約】【課題】  本発明の課題は、記録媒体に印刷した画像データの機密性を高めることができる画像処理装置を得ることにある。【解決手段】  公開鍵及び秘密鍵を付与する鍵情報付与手段１５と、画像データを暗号化する暗号化手段１７と、暗号化した暗号データを記録媒体Ｓに印刷するプリンタ手段５と、記録媒体Ｓに印刷された暗号データを読み取るスキャナ手段７と、秘密鍵によって暗号データを復号化する復号化手段２１と、鍵情報入力手段２２と、鍵情報判別手段２３とを備え、プリンタ手段５は暗号データに加えて公開鍵を記録媒体に印刷すると共に、鍵情報判別手段２３はスキャナ手段７によって読み取った公開鍵と鍵情報入力手段によって入力された秘密鍵とを比較し、公開鍵と秘密鍵とが合致した場合にのみ、読み取った暗号データを復号化する。【選択図】      図１
2006211202.tif 000002
【特許請求の範囲】
【請求項１】
公開鍵及び秘密鍵を付与する鍵情報付与手段と、画像データを暗号化する暗号化手段と、暗号化した暗号データを記録媒体に印刷するプリンタ手段と、記録媒体に印刷された暗号データを読み取るスキャナ手段と、秘密鍵によって暗号データを復号化する復号化手段と、鍵情報入力手段と、鍵情報判別手段とを備え、プリンタ手段は暗号データに加えて公開鍵を記録媒体に印刷すると共に、鍵情報判別手段はスキャナ手段によって読み取った公開鍵と鍵情報入力手段によって入力された秘密鍵とを比較し、公開鍵と秘密鍵とが合致した場合にのみ、読み取った暗号データを復号化することを特徴とする画像処理装置。
【請求項２】
プリンタ手段は暗号データを印刷した記録媒体の裏面に公開鍵を印刷することを特徴とする請求項１に記載の画像処理装置。
【請求項３】
鍵情報付与手段は公開鍵を複数に分割し記録媒体上に分散させていることを特徴とする請求項１に記載の画像処理装置。
【請求項４】
プリンタ手段は記録媒体上の暗号データをスキャナ手段で読み取るための読み取り条件を記録媒体上に印刷していることを特徴とする請求項１に記載の画像処理装置。
【請求項５】
画像処理装置は復号化した画像データのファイル保存や印刷を禁止する複製防止手段を備えていることを特徴とする請求項１〜４の何れか一項に記載の画像処理装置。
【発明の詳細な説明】
【技術分野】
【０００１】
本発明は、プリンタ手段及びスキャナ手段を備えた画像処理装置に関するものである。
【背景技術】
【０００２】
一般に、電子メール等を利用して社外の者等に電子化した画像データを送信する場合、画像データが第三者に見られるのを防止するため、予め画像データを暗号化して送信している。
【０００３】
例えば、特許文献１には、メールを送信する者が画像データを公開鍵で暗号化し、メールを受信する者が受け取った画像データを公開鍵と対になっている秘密鍵を用いて復号化する技術が開示されている。
【０００４】
【特許文献１】特開平１０−２５７０９１号公報
【発明の開示】
【発明が解決しようとする課題】
【０００５】
しかし、特許文献１に記載の従来技術は、ネットワーク上で画像データを秘密にしておくことができるが、画像データを暗号化した暗号データをそのままプリントアウトすることができなかった。そのため、画像データを一旦、記録媒体上に印刷すると、画像データが第三者に漏れるおそれがあり、セキュリティ管理上問題があった。よって、記録媒体に印刷した画像データの機密性を高めることが望まれている。
【０００６】
本発明は、記録媒体に印刷した画像データの機密性を高めることができる画像処理装置を得ることを目的とする。
【課題を解決するための手段】
【０００７】
前記課題を解決するために、請求項１に記載された発明は、公開鍵及び秘密鍵を付与する鍵情報付与手段と、画像データを暗号化する暗号化手段と、暗号化した暗号データを記録媒体に印刷するプリンタ手段と、記録媒体に印刷された暗号データを読み取るスキャナ手段と、秘密鍵によって暗号データを復号化する復号化手段と、鍵情報入力手段と、鍵情報判別手段とを備え、プリンタ手段は暗号データに加えて公開鍵を記録媒体に印刷すると共に、鍵情報判別手段はスキャナ手段によって読み取った公開鍵と鍵情報入力手段によって入力された秘密鍵とを比較し、公開鍵と秘密鍵とが合致した場合にのみ、読み取った暗号データを復号化することを特徴とする。
【０００８】
請求項２に記載された発明は、請求項１に記載の発明において、プリンタ手段は暗号データを印刷した記録媒体の裏面に公開鍵を印刷することを特徴とする。
【０００９】
請求項３に記載された発明は、請求項１に記載された発明において、鍵情報付与手段は公開鍵を複数に分割し記録媒体上に分散させていることを特徴とする。
【００１０】
請求項４に記載された発明は、請求項１に記載の発明において、プリンタ手段は記録媒体上の暗号データをスキャナ手段で読み取るための読み取り条件を記録媒体上に印刷していることを特徴とする。
【００１１】
請求項５に記載された発明は、請求項１〜４の何れか一項に記載の発明において、画像処理装置は復号化した画像データのファイル保存や印刷を禁止する複製防止手段を備えていることを特徴とする。
【発明の効果】
【００１２】
本発明によれば、暗号化した暗号データを記録媒体に出力し、秘密鍵の情報を有する特定の者のみ、暗号データを復号化できるので、画像データを記録媒体に機密にした状態で保存することができ、記録媒体が外部に流出した場合であっても、機密情報が第三者に漏れ難く、記録媒体に出力された画像データの機密性を高めることができる。
【発明を実施するための最良の形態】
【００１３】
以下に、添付図面を参照して、本発明の実施の形態を詳細に説明する。図１〜図４は本発明の第１実施の形態に係る画像処理装置を説明している。
【００１４】
画像処理装置１は、ＰＣ(パーソナルコンピュータ)装置３、４と、一方のＰＣ装置３に接続したプリンタ（プリンタ手段）５と、他方のＰＣ装置４に接続したスキャナ（スキャナ手段）７とを備える。本実施の形態に係る画像処理装置１は、一方のＰＣ装置（ＰＣ１）３で作成した画像データを暗号化した状態でプリンタ５から記録媒体Ｓに印刷すると共に、プリントアウトした記録媒体Ｓを、他方のＰＣ装置（ＰＣ２）４に接続したスキャナ７で読み取ることで、復号化した画像データを画面上で見るものである。
【００１５】
一方のＰＣ装置３内にはプリンタ５を制御するためのソフトウェアであるプリンタドライバ９が組み込まれている。
【００１６】
プリンタドライバ９は、公開鍵ｋ及び秘密鍵を付与する鍵情報付与手段１５と、鍵情報付与手段１５によって取得した公開鍵ｋによって画像データを暗号化する暗号化手段１７と、複製防止手段１９とを備えている。鍵情報付与手段１５はＰＣ画面上で作成することができ、数字と記号とを組み合わせた情報を入力することにより公開鍵ｋ及び秘密鍵が付与される。複製防止手段１９は復号化した画像データのファイル保存や印刷を禁止するものであり、記録媒体Ｓに複製を防止するためのアクセス制御情報を埋め込むようにしていいる。アクセス制御情報を記録媒体Ｓに印刷しておくことで、スキャナ７が記録媒体Ｓを読み込んでアクセス制御情報を認識した場合、復号化した画像データのファイル保存や印刷の動作がロックされる。
【００１７】
他方のＰＣ装置４内にはスキャナ７を制御するためのソフトウェアであるスキャナドライバ１０が組み込まれている。
【００１８】
スキャナドライバ１０は、公開鍵ｋによって暗号化した暗号データを復号化するための復号化手段２１と、キー操作によって秘密鍵の情報を入力する鍵情報入力手段２２と、スキャナ７によって読み取った公開鍵ｋと鍵情報入力手段２２によって入力された秘密鍵とを比較する鍵情報判別手段２３とを備えている。
【００１９】
次に、本実施の形態に係る画像処理装置の作用及び効果を説明する。本実施の形態に係る画像処理装置１では、プリンタドライバ９を一方のＰＣ装置３にインストールし、スキャナドライバ１０を他方のＰＣ装置４にインストールして使用する。
【００２０】
画像データを暗号化した暗号データをプリントアウトする場合について説明する。図２のフローチャート及び図３に示すように、一方のＰＣ装置３において画像データを作成する（ステップＳ１０）。プリントアウトの開始ボタンを押すと、作成された画像データはプリンタドライバ９内の暗号化手段１７に送られ、暗号化手段１７により画像データは暗号データに暗号化される（ステップＳ１１）。次に、暗号化された暗号データはプリンタ５内に送信され、記録媒体Ｓに印刷される（ステップＳ１２）。このとき、記録媒体Ｓの指定した印刷領域ｍ内に暗号データが印刷されると共に記録媒体Ｓの余白領域ｎに鍵情報付与手段１５により付与された公開鍵ｋの情報がプリントアウトされる。プリントアウトされた記録媒体Ｓは、例えば会社外の特定の人に郵送される。この場合、特定の人には秘密鍵の情報を予め知らせている。
【００２１】
プリントアウトされた記録媒体Ｓを特定の人が受け取ると、受け取った記録媒体Ｓを自分のＰＣ（他方のＰＣ装置４）に接続したあるスキャナ７にセットする。スキャナ７の原稿台に記録媒体Ｓをセットし、ＰＣ画面上の読み取り開始ボタンを押すと、原稿台上の記録媒体Ｓはスキャンされ、記録媒体Ｓに印刷された暗号データが読み取られる（ステップＳ１３）。このとき、スキャナ７では暗号データと共に記録媒体Ｓに印刷された公開鍵ｋの情報が読み取られ、読み取った公開鍵ｋの情報はスキャナドライバ１０内の鍵情報判別手段２３に送られる。鍵情報判別手段２３に公開鍵ｋの情報が送られると、他方のＰＣ装置４のデスクトップ画面に秘密鍵の入力を要求する画面が表れる。鍵情報入力手段２２により秘密鍵の情報を入力すると（ステップＳ１４）、鍵情報判別手段２３により公開鍵ｋと秘密鍵とが比較される（ステップＳ１５）。そして公開鍵ｋと秘密鍵とが合致した場合には、暗号データが復号化手段２１に送られ、暗号データは元の画像データに復号化される（ステップＳ１６）。復号化された画像データは他方のＰＣ装置４のデスクトップ画面上に表示される。尚、復号化した画像データはデスクトップ画面から見ることができるが、画像データをファイル保存することや印刷をすることができないようになっている。
【００２２】
本実施の形態では、暗号化した暗号データを記録媒体Ｓに印刷し、秘密鍵の情報を有する特定の者のみ、暗号データを復号化できるので、画像データを記録媒体Ｓに機密にした状態で保存することができ、記録媒体Ｓが外部に流出した場合であっても、機密情報が第三者に漏れ難く、記録媒体Ｓに印刷された画像データの機密性を高めることができる。
【００２３】
また、復号化した画像データのファイル保存や印刷を禁止してあるので、復号化した画像データの複製が作成されることがなく、復号化した画像データが第三者に漏れることをさらに防止できる。
【００２４】
次に、本発明の他の実施形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。図５は本発明の第２実施の形態に係る画像処理装置を示し、図６は本発明の第３実施の形態に係る画像処理装置を示し、図７は本発明の第３実施の形態に係る画像処理装置を示している。
【００２５】
第２実施の形態では、プリンタ５において、暗号データを記録した記録媒体Ｓの裏面に公開鍵ｋの情報を印刷するようにしている。このように、公開鍵ｋを記録媒体Ｓの裏面に印刷するので、公開鍵ｋの情報と暗号データの情報とを別々に読み取ることができ、公開鍵ｋを確実に読み取ることができる。
【００２６】
第３実施の形態では、鍵情報付与手段１５が公開鍵ｋを複数に分割し、分割した公開鍵ｋ１〜ｋ６を記録媒体Ｓの余白領域ｎに四方に分散させて印刷している。このように、分割した公開鍵ｋを記録媒体Ｓの余白領域ｎに分散させて印刷しているので、公開鍵ｋの解読がさらに困難であり、セキュリティをさらに高めることができる。
【００２７】
第４実施の形態では、プリンタ５から暗号データを出力する際に、公開鍵ｋの情報と共に、スキャナ７で読み取る際の読み取り条件ｙのバーコード情報を記録媒体Ｓ上に印刷している。ここで、スキャナ７で読み取る際の読み取り条件ｙとは、画像データを読み取る際の解像度や読み取り範囲等をいう。このように、予め記録媒体Ｓ上に読み取り条件ｙが印刷されているので、ＰＣ画面上で読み取り範囲や解像度を設定する必要がなく、スキャナ操作が簡単である。
【００２８】
尚、本発明は上述した実施の形態に限定されず、その要旨を逸脱しない範囲で種々の変形が可能である。第３実施の形態では、分割した公開鍵ｋ１〜ｋ６を記録媒体Ｓの余白領域ｎに四方に分散させて印刷しているが、記録媒体Ｓの印刷領域ｍ内に印刷したり、暗号データを印刷した記録媒体の裏面に印刷したり、記録媒体の表面と裏面とに分けて印刷しても良い。
【００２９】
上述の実施形態では、一方のＰＣ装置３にプリンタの機能、他方のＰＣ装置４にスキャナの機能を備えるようにしたが、何れか一方のＰＣ装置のみがプリンタ機能とスキャナ機能の両方の機能を具備するようにしても良い。
【図面の簡単な説明】
【００３０】
【図１】第１実施の形態に係る画像処理装置の全体を説明する制御ブロック図である。
【図２】第１実施の形態に係る画像処理装置の処理動作を説明するフローチャートである。
【図３】第１実施の形態に係る画像処理装置を説明する概略図である。
【図４】第１実施の形態に係る画像処理装置において印刷された記録媒体を示す平面図であり、（ａ）は暗号データを示す図、（ｂ）は復号化画像を示す図である。
【図５】第２実施の形態に係る画像処理装置において印刷された記録媒体を示す平面図であり、（ａ）は記録媒体の表面を示す図、（ｂ）は記録媒体の裏面を示す図である。
【図６】第３実施の形態に係る画像処理装置において印刷された記録媒体を示す平面図であり、（ａ）は暗号データを示す図、（ｂ）は復号化画像を示す図である。
【図７】第４実施の形態に係る画像処理装置において印刷された記録媒体を示す平面図であり、（ａ）は記録媒体の表面を示す図、（ｂ）は記録媒体の裏面を示す図である。
【符号の説明】
【００３１】
１５        鍵情報付与手段
１７        暗号化手段
１９        複製防止手段
２１        復号化手段
２２        鍵情報入力手段
２３        鍵情報判別手段
２５        公開鍵分割手段
【図１】
2006211202.tif 000003
【図２】
2006211202.tif 000004
【図３】
2006211202.tif 000005
【図４】
2006211202.tif 000006
【図５】
2006211202.tif 000007
【図６】
2006211202.tif 000008
【図７】
2006211202.tif 000009